(57)【要約】      （修正有）【課題】水田又は蓮田などの水を溜めた農作地等に、肥料、酸素供給剤などの薬液を注入する装置であり、水面下の地中にも注入できるレンコンの黒皮症対策に適した薬液注入装置を提供する。【解決手段】人が乗り水面９に浮くとともに推進源の駆動で移動する搭乗部２と、搭乗部に上下スライド可能に組み立てられた枠体と、枠体に固定され先端に穴が穿設され薬液タンクから送液された薬液５ａを吐出するノズル３ｃとよりなる注入部と、からなり、枠体を降下させノズルを地中１０に刺した後に、薬液を地中に注入する。薬液を酸素供給剤とすることで、レンコン黒皮症の予防、低減が可能となる。【選択図】図４
0003187274.tif 000002
【実用新案登録請求の範囲】
【請求項１】
水田又は蓮田などの水を溜めた地中に薬液を注入する装置であって、
人が乗り水面に浮くとともに推進源の駆動で移動する搭乗部と、前記搭乗部に上下スライド可能に組み立てられた枠体と、前記枠体に固定され先端に穴が穿設され薬液タンクから送液された薬液を吐出するノズルとよりなる注入部と、からなり、
前記枠体を降下させ、前記ノズルを地中に刺した後に、前記薬液を前記地中に注入することを特徴とする薬液注入装置。
【請求項２】
前記水面下の地中が蓮田であり、前記薬液が酸素供給剤であり、前記蓮田の泥中に前記酸素供給剤を注入し、レンコンの黒皮症を予防することを特徴とする請求項１に記載の薬液注入装置。
【考案の詳細な説明】
【技術分野】
【０００１】
本考案は、水田又は蓮田などの水を溜めた農作地等に、肥料、酸素供給剤などの薬液を注入する装置に関する。
【背景技術】
【０００２】
水面上を移動しながら施肥する装置として、特許文献１が公開されている。特許文献１の施肥作業機は、水田や蓮根田等の足場の悪い圃場での施肥作業負担が軽減され、機体の前後バランスが良好で機体の前後長をコンパクトに形成できる施肥作業機であって、走行部６を有する走行機体１と、走行機体１の後方に連結され作業者が乗車する搭乗部２と、肥料を施肥する施肥部２４と、施肥部２４に肥料を供給する肥料供給部２７とを備え、圃場を走行しながら肥料を施肥する施肥作業機において、走行機体１側に肥料供給部２７を設け、搭乗部２の後部側に施肥部２４を設けてなる。
【０００３】
他方、特許文献２には、液肥や肥料等の液体を水田等の土壌中へ注入するための土壌注液機が公開されている。
【０００４】
しかしながら、特許文献２の土壌注液機の液体注入管１６は回転ロータ１５に放射状に設けられており、圃場に栽培物がある場合などは回転が阻害されてしまう。また、注入する深さを変更することは容易でない。特許文献２の土壌注液機は、複雑な装置であるので、製造、販売価格が高いものとなる。また、レンコンの黒皮症対策とした薬液を水面下の地中に注入する装置ではない。
【０００５】
ここで、レンコンの黒皮症とは、非特許文献に示すように、蓮根田の土壌の異常還元状態（酸素不足の状態）において、硫黄や硫酸イオンが土壌中の二価鉄イオンと結合し、硫化鉄となり、レンコン表皮に付着して、レンコン表皮に黒い斑点が形成されたものである。黒皮症が発生したレンコンの商品価値は著しく低下し、レンコン農家においては極めて深刻である。黒皮症対策に適した、簡易な方法、装置は知られていない。
【先行技術文献】
【特許文献】
【０００６】
【特許文献１】特開２００９−１１８７９５号公報
【特許文献２】実開平１−１７５５８３号公報
【非特許文献】
【０００７】
【非特許文献１】http://lotus.uzusionet.com/pdf/075.pdf
【考案の概要】
【考案が解決しようとする課題】
【０００８】
そこで、本考案は、水田又は蓮田などの水を溜めた農作地等に、肥料、酸素供給剤などの薬液を注入する薬液注入装置を提供すること、さらにレンコンの黒皮症対策に適した薬液注入装置を提供する目的とする。
【課題を解決するための手段】
【０００９】
本考案は、上記の課題を解決するために、
（１）
水田又は蓮田などの水を溜めた地中に薬液を注入する装置であって、
人が乗り水面に浮くとともに推進源の駆動で移動する搭乗部と、前記搭乗部に上下スライド可能に組み立てられた枠体と、前記枠体に固定され先端に穴が穿設され薬液タンクから送液された薬液を吐出するノズルとよりなる注入部と、からなり、
前記枠体を降下させ、前記ノズルを地中に刺した後に、前記薬液を前記地中に注入することを特徴とする薬液注入装置の構成とした。
（２）
前記水面下の地中が蓮田であり、前記薬液が酸素供給剤であり、前記蓮田の泥中に前記酸素供給剤を注入し、レンコンの黒皮症を予防することを特徴とする（１）に記載の薬液注入装置の構成とした。
【考案の効果】
【００１０】
本考案である水面下の地中に薬液を注入する薬液注入装置は、薬液を注入すべき場所に推進源の駆動で移動し、ノズル先端を目的の深さに刺し、薬液を必要としている水面下の地中に薬液を注入することができ、かつ、極めて簡単で、低コストで製造することができる。
【００１１】
蓮田に、液体の酸素供給原を注入することで、蓮田の還元状態が緩和され、黒皮症の低減、発生防止に資する。
【図面の簡単な説明】
【００１２】
【図１】図１は、本発明である薬液注入装置の側面模式図である。
【図２】図２は、薬液注入装置の搭乗部及び注入部の斜視模式図である。
【図３】図３は、薬液を注入していないときの搭乗部及び注入部の側面模式図である。
【図４】図４は、薬液を注入しているときの搭乗部及び注入部の側面模式図である。
【考案を実施するための形態】
【００１３】
以下、添付の図面を参照し、本考案の実施の形態の一例について詳細に説明する。なお、本考案は下記実施例に限定されるものではない。
【実施例１】
【００１４】
図１−４に示すように、本考案の一例である薬液注入装置１は、水田又は蓮田などの水を溜めた地中１０に薬液５ａを注入する装置であって、搭乗部２と、枠体３ａ及びノズルよるなる注入部３と、推進源４と、タンク５と、ホース６と、ポンプ７と、からなり、搭乗者８が枠体３ａを降下させ、ノズルを地中に刺し、ポンプ７の送液圧力で薬液５ａを地中１０に注入する
【００１５】
搭乗部２は、船２ａとフロート２ｂとからなる。船２ａは、薬液５ａの散布作業をする搭乗者８を乗せるスペース、強度があり、浸水を防ぎ、水面９部に位置することができる素材・構造であれば特に限定されない。例えば、プラス製ソリなどが例示できる。ここに例示した船２ａは、凹みがあり、凹み部に搭乗者８が乗る。
【００１６】
フロート２ｂは、発泡スチロール、浮き袋等で、船２ａを水面９部に位置させる素材、構造であれば特に限定されない。船２ａとフロート２ｂの連結の一例としては、図示するように、フロート２ｂに金属製リング２ｃ枠体３ａを介して連結する。
【００１７】
なお、搭乗部２は、船２ａとフロート２ｂを別体としたが、勿論一体として、水面に浮遊する船状の搭乗部であってもよい。
【００１８】
注入部３は、枠体３ａと、左ノズル３ｂと、右ノズル３ｃとからなり、上下スライド可能に搭乗部２に設置される。
【００１９】
枠体３ａは、左右基枠３ｄ、３ｅと、前後連結枠３ｇ、３ｈと、連結体３ｊと、中基枠３ｋと、支軸３ｍと、スライド管３ｔと、中上枠３ｓと、左右上枠３ｎ、３ｏと、左右ガイド軸３ｐ、３ｑとからなる。
【００２０】
左基枠３ｄは、船２ａの左側面上部に接続具３ｆで固定される棒状体である。右基枠３ｅは、船２ａの右側面に接続具３ｆで固定される棒状体である。
【００２１】
前連結枠３ｇは、左右基枠３ｄ、３ｅに渡され、溶接等で固定されるコの字状の板で、さらにフロート２ｂのリング２ｃに留め具３ｉを介して連結する。後連結枠３ｈは、左右基枠３ｄ、３ｅに渡され、溶接等で固定されるコの字状の板で、さらにフロート２ｂのリング２ｃに留め具３ｉを介して連結する。
【００２２】
連結体３ｊは、後連結枠３ｈに起立し、推進源４の連結軸４ｆと留め具４ｇで上下回動可能に連結される。さらに、左右回動箇所を連結体３ｊ或いは連結軸４ｆに設けてもよい。
【００２３】
中基枠３ｋは、前後連結枠の間で、左右基枠３ｄ、３ｅに渡され溶接等で固定さる。支軸３ｍは、中基枠３ｋの略中央部に下端部（溶接部３ｗ）が溶接等で固定される棒体である。中基枠３ｋと支軸３ｍとは略垂直に位置される
【００２４】
スライド管３ｔは、支軸３ｍを内部に通す管で、支軸３ｍに沿って、上下スライドできる。スライド管３ｔには、ストッパ３ｕが設けられ、ストッパ３ｕを開放するとスライド管３ｔは上下スライド可能となり、ストッパ３ｕを作用させるとスライド管３ｔは支軸３ｍの任意の箇所に固定される。ストッパ３ｕとしては、図２に示すように、手でつかむハンドル部を備えるネジなどが例示できる。ネジを締めるとスライド管３ｔは支軸３ｍに位置固定され、ネジを緩めるとスライド管３ｔは上下移動可能になる。
【００２５】
中上枠３ｓは、スライド管３ｔに略中央部（溶接部３ｗ）で溶接等により固定される棒体である。中上枠３ｓの両端には、それぞれ板状の左上枠３ｎ、３ｏが溶接等で固定される。
【００２６】
左右ノズル３ｂ、３ｃは、枠体３ａの左右上枠３ｎ、３ｏの前方端部に溶接等で上端部（溶接部３ｗ）固定される。左右ノズル３ｂ、３ｃの他端部は、左右基枠３ｄ、３ｅの前端部に固定されたガイド管３ｒの内部にスライド可能に位置する。ガイド管３ｒは左右ノズル３ｂ、３ｃの直動性を補助（ガイド）する。
【００２７】
左右ノズル３ｂ、３ｃの端部は、薬液５ａを貯溜するタンク５に端部が位置するホース６に接続され、先端には穴が穿設されている。その穴から薬液５ａが吐出する。薬液５ａの注入は、後述の栓部６ｂの操作によって行われる。
【００２８】
左右上枠３ｎ、３ｏの後端部には左右ガイド軸３ｐ、３ｑの上端部（溶接部３ｗ）が溶接等で固定される。左右ガイド軸３ｐ、３ｑの他端部は、左右基枠３ｄ、３ｅの後端部に固定されたガイド管３ｒの内部にスライド可能に位置する。ガイド管３ｒは左右ガイド軸３ｐ、３ｑの直動性を補助（ガイド）する。左右ノズル３ｂ、３ｃは、ガイド管３ｒ及びガイド軸３ｐ、３ｑの補助により、支軸３ｍに沿って安定して上下スライド（直動）する。
【００２９】
スライド管３ｔを上下させると、スライド管３ｔに固定される中上枠３ｓ、中上枠の両端に固定される左右上枠３ｎ、３ｏ、左右上枠３ｎ、３ｏに固定される左右ノズル３ｂ、３ｃも上下にスライドする。薬液５ａを注入したい場所、深度に応じて、スライド管３ｔを上下スライドさせて、栓操作部６ｃのトリガーを握ることで、薬液５ａを任意の場所に任意量注入することができる。
【００３０】
推進源４は、搭乗部２を移動させる装置で、駆動エンジン４ａと、エンジン４ａ下方に配置されエンジン４ａを埋没させないためのフロート４ｂと、推進源４を移動させる車輪４ｃと、推進源４の方向舵であるハンドル４ｄと、ハンドル４ｄに備えられエンジン４ａの駆動（回転数など）及び走行制御（ギア、制動など）をする操作部４ｅと、推進源４と搭乗部２を連結する連結軸４ｆと、からなる。例えば、耕うん機の駆動部、手押し田植機などを転用することができる。耕うん機の場合には、車輪４ｃとしてかごく車輪を用いる。かご車輪でエンジン４ａの水中への埋没が防がれる場合にはフロート４ｂは必ずしも必要ない。手押し田植機にはフロート４ｂが備えられている。
【００３１】
タンク５は、地上１１に載置され、液体薬剤（薬液５ａ）を貯溜する容器である。注入量が多量の場合には、地上１１に載置されることが好ましい。他方、注入量が少量であれば、搭乗部２、推進源４に、ポンプ７とともに搭載してもよい。
【００３２】
薬液５ａとしては、窒素源、カリウム源、リン源、その他微量栄養源の液体である。レンコンの黒皮症の予防、改善には、酸素供給剤を注入することが有効である。
【００３３】
酸素供給剤とは、水、金属等と反応するなどして過酸化水素を生成し、さらに過酸化水素と地中に存在する酵素と反応して酸素（Ｏ２）を発生する薬剤である。酸素発生の反応性は、即効性、遅効性であってもよい。注入する時期に応じて適宜選択する。
【００３４】  遅効性の酸素供給剤としては、例えば、水溶性顆粒である（公序良俗違反につき、不掲載）を溶解した液体が例示できる。蓮田であれば、約１ｋｇのＭ．Ｏ．Ｘを約１０００リットル水に溶解させて注入に使用する。Ｍ．Ｏ．Ｘには、窒素源、カリウム源、リン源も添加されている。同社製品には、即効性の酸素供給剤として、固体の過酸化カルシウム製剤もある。過酸化カルシウムを水に溶解した薬液を注入すること酸素を急激に発生させる。【００３５】
ホース６は、端部が薬液５ａの貯溜タンク５に位置し、分岐６ａした先端部は左右ノズル３ｂ、３ｃの端部に接続され、タンク５と左右ノズル３ｂ、３ｃを繋ぐ。ホース６には、栓部６ｂが設けられ、ホース６内の薬液５ａ流路の開閉を制御する。栓部６ｂの栓は、栓操作部６ｃ（トリガー）によって開閉動作する。トリガーを手で握るとホース６内の薬液５ａ流路が開き、トリガーを離すと薬液５ａ流路は閉止する。トリガーの握る長さによって、注入される薬液５ａの注入量を任意に制御することができる。
【００３６】
ポンプ７は、タンク５内の薬液５ａを左右ノズル３ｃ、３ｄに送る装置で、ホース６の経路に位置する。各種送液ポンプが流通しており、本考案のポンプは左右ノズル３ｃ、３ｄに薬液を送液することができれば、構造、配置は特に限定されるものではない。
【００３７】
搭乗部２と、注入部３で、薬液注入装置の最小単位となる。推進源４、タンク５、ホース６、ポンプ７は、一般に農家において多目的用途として備えられており、それらを利用することができる。
【００３８】
次に、薬液５ａの水田又は蓮田などの水を溜めた地中に注入する方法について図１−４を参照して説明する。
【００３９】
図１に示すように、搭乗者８が、搭乗部２の船２ａに乗り込む。船２ａは、フロート２ｂで搭乗者８を乗せても水中に沈まず、水面９に位置する。搭乗者８は推進源４の操作部４ｅ、ハンドル４ｄを操作して、薬液５ａを注入した位置に、搭乗部２及び左右ノズル３ｂ、３ｃを移動させる。移動の際は、枠体３ａは図１−３に示すように上に位置固定される。
【００４０】
左右ノズル３ｂ、３ｃが、目的の位置に配置したならば、搭乗者８は推進源４をニュートラル或いは停止させ、図１に示す方向を向き、ストッパ３ｕを開放し、スライド管３ｔの上下移動を可能にする。そして、搭乗者８は、スライド管３ｔを下げ、左右ノズル３ｂ、３ｃの先端が薬液５ａの注入が必要とされる目的の深度に位置させる（図４）。
【００４１】
その後、搭乗者８は、栓操作部６ｃのトリガーを握ることで、ホース６内の薬液５ａの流路を開放し、ポンプ７の送液圧で、タンク５から薬液５ａを左右ノズル３ｂ、３ｃの先端より地中１０に吐出させる（図４）。
【００４２】
その後、搭乗者８は、スライド管３ｔを上方にスライドさせ、左右ノズル３ｂ、３ｃの先端を水面９より上に位置させ、ストッパ３ｕを作用させ、スライド管３ｔを支軸３ｍの上方に固定する。その後、次の薬液５ａ注入箇所に推進源４を操作して移動する。その後は、また、上記動作を繰り返して、薬液を目的の場所、深度に、目的量注入する。
【００４３】
ここでは、搭乗者８によって、推進源４の操作、搭乗部２の移動、左右ノズル３ｂ、３ｃの上下移動、栓操作部６ｃの操作及び薬液５ａの注入方法を示したが、それらをモータ駆動とし、ＰＣからの無線によって地上から自動制御（遠隔操作）することも本考案の技術的範囲に属するものである。
【符号の説明】
【００４４】
１      薬液注入装置
２      搭乗部
２ａ    船
２ｂ    フロート
２ｃ    リング
３      注入部
３ａ    枠体
３ｂ    左ノズル
３ｃ    右ノズル
３ｄ    左基枠
３ｅ    右基枠
３ｆ    接続具
３ｇ    前連結枠
３ｈ    後連結枠
３ｉ    留め具
３ｊ    連結体
３ｋ    中基枠
３ｍ    支軸
３ｎ    左上枠  
３ｏ    右上枠
３ｐ    左ガイド軸
３ｑ    右ガイド軸
３ｒ    ガイド管
３ｓ    中上枠
３ｔ    スライド管
３ｕ    ストッパ
３ｗ    溶接部
４      推進源
４ａ    エンジン
４ｂ    フロート
４ｃ    車輪
４ｄ    ハンドル
４ｅ    操作部
４ｆ    連結軸
５      タンク
５ａ    薬液
６      ホース
６ａ    分岐
６ｂ    栓部
６ｃ    栓操作部
７      ポンプ
８      搭乗者
９      水面
１０    地中
１１    地上
【図１】
0003187274.tif 000003
【図２】
0003187274.tif 000004
【図３】
0003187274.tif 000005
【図４】
0003187274.tif 000006
【手続補正書】
【提出日】平成25年9月25日(2013.9.25)
【手続補正１】
【補正対象書類名】明細書
【補正対象項目名】００３４
【補正方法】変更
【補正の内容】
【００３４】
遅効性の酸素供給剤としては、例えば、市販の顆粒状の水溶性の酸素供給剤を溶解した液体が例示できる。蓮田であれば、約１ｋｇの市販の顆粒状の水溶性の酸素供給剤を約１０００リットル水に溶解させて蓮田の注入に使用する。市販の顆粒状の水溶性の酸素供給剤には、窒素源、カリウム源、リン源が添加されているものもある。即効性の酸素供給剤として、固体の過酸化カルシウム製剤もある。過酸化カルシウムを水に溶解した薬液を蓮田に注入することで酸素を急激に発生させる。